(57)【特許請求の範囲】
【請求項１】
長形の発光面部であって、光を発するＬＥＤ（発光ダイオード）が長手方向に直線状に配置されるＬＥＤ列を備える発光面部と、前記発光面部の短手方向の両側の側端部から光の照射方向側に形成され、前記ＬＥＤが発する光を反射する両側の主反射面部とを備える主反射部と、
３つの側辺部と３つの側面部とを有する三角柱形状の補助反射部であって、３つの側辺部のうちの一側辺部が前記ＬＥＤ列に対向するように配置され、前記一側辺部の両側の側面部により前記ＬＥＤが発する光を反射する補助反射部と
を備え、
前記補助反射部は、
前記ＬＥＤから前記両側の側面部のうち一方側の側面部に直接到達する光であって前記一方側の側面部により反射した光の全てが、前記両側の主反射面部のうち一方側の主反射面部に到達せず、かつ、前記３つの側面部のうち前記両側の側面部ではない取付側面部と前記一方側の主反射面部の縁部との間に形成された第１の透光領域を通過するように形成される
ことを特徴とするＬＥＤユニット。
【請求項２】
前記主反射部は、
前記ＬＥＤから前記一方側の主反射面部に直接到達する光であって前記一方側の主反射面部により反射した光の全てが、前記補助反射部の前記一方側の側面部に到達せず、かつ、前記第１の透光領域を通過するように形成される
ことを特徴とする請求項１に記載のＬＥＤユニット。
【請求項３】
前記補助反射部は、
前記ＬＥＤから前記両側の側面部のうち他方側の側面部に直接到達する光であって前記他方側の側面部により反射した光の全てが、前記両側の主反射面部のうち他方側の主反射面部に到達せず、かつ、前記取付側面部と前記他方側の主反射面部の縁部との間に形成された第２の透光領域を通過するように形成され、
前記主反射部は、
前記ＬＥＤから前記他方側の主反射面部に直接到達する光であって前記他方側の主反射面部により反射した光の全てが、前記補助反射部の前記他方側の側面部に到達せず、かつ、前記第２の透光領域を通過するように形成される
ことを特徴とする請求項１または請求項２に記載のＬＥＤユニット。
【請求項４】
前記取付側面部は、
前記両側の主反射面部の各主反射面部の縁部により形成される開口面部と略同一面上に位置し、
前記ＬＥＤユニットは、さらに、
前記開口面部を覆う平板状の透光カバーであって、前記補助反射部の前記取付側面部と当接すると共に前記取付側面部を取り付ける透光カバーを備えることを特徴とする請求項１〜請求項３のいずれかに記載のＬＥＤユニット。
【請求項５】
請求項１〜請求項４のいずれかに記載のＬＥＤユニットと、
前記ＬＥＤユニットが備えるＬＥＤに電力を供給する電源ユニットと、
前記ＬＥＤユニットを取り付けるとともに前記電源ユニットを取り付ける本体と
を備えることを特徴とする照明器具。
【発明の詳細な説明】
【技術分野】
【０００１】
本発明は、ＬＥＤ（発光ダイオード）ユニット及び照明器具に関する。
【背景技術】
【０００２】
天井面に設置して壁面などの鉛直面を照射する照明器具に関する技術がある（例えば、特許文献１参照）。
【先行技術文献】
【特許文献】
【０００３】
【特許文献１】特開２００４−２４７１４７号公報
【発明の概要】
【発明が解決しようとする課題】
【０００４】
従来技術においては、１台の照明器具で片側の壁しか照らすことができなかった。また通常のベース照明器具を取り付けた場合には、空間全体を均一に照らすことはできるが、演出効果が低いという課題があった。
【０００５】
本発明は、例えば、通路などの天井面に取り付けた場合、２面（天井および壁面、または、壁面およびその壁面に対面する壁面）を照らすことを可能とすることを目的とする。
【課題を解決するための手段】
【０００６】
本発明に係るＬＥＤユニットは、長形の発光面であって、光を発するＬＥＤが長手方向に直線状に配置されるＬＥＤ列を備える発光面と、前記発光面の短手方向の両側の側端部から光の照射方向側に形成され、前記ＬＥＤが発する光を反射する両側の主反射面とを備える主反射部と、３つの側辺と３つの側面とを有する三角柱形状の補助反射部であって、３つの側辺のうちの一側辺が前記ＬＥＤ列に対向するように配置され、前記一側辺の両側の側面により前記ＬＥＤが発する光を反射する補助反射部とを備えることを特徴とする。
【発明の効果】
【０００７】
本発明に係るＬＥＤユニットは、長形の発光面であって、光を発するＬＥＤが長手方向に直線状に配置されるＬＥＤ列を備える発光面と、前記発光面の短手方向の両側の側端部から光の照射方向側に形成され、前記ＬＥＤが発する光を反射する両側の主反射面とを備える主反射部と、３つの側辺と３つの側面とを有する三角柱形状の補助反射部であって、３つの側辺のうちの一側辺が前記ＬＥＤ列に対向するように配置され、前記一側辺の両側の側面により前記ＬＥＤが発する光を反射する補助反射部とを備えるので、１つのＬＥＤ列から２方向に光を出すことが可能となり、部品数が少なく低コストで演出効果の高い照明器具をつくることができるという効果を奏する。
【図面の簡単な説明】
【０００８】
【図１】実施の形態１に係るＬＥＤユニット１００の分解斜視図である。
【図２】実施の形態１に係るＬＥＤユニット１００の斜視図である。
【図３】実施の形態１に係るＬＥＤユニット１００を示す図であり、（ａ）は平面図、（ｂ）は側面図である。
【図４】実施の形態１に係るＬＥＤユニット１００を示す図であり、図３（ａ）に示すＡ−Ａ断面の一部拡大図である。
【図５】実施の形態１に係るＬＥＤユニット１００の光制御方式を示す図である。
【図６】実施の形態１に係るＬＥＤユニット１００の配光曲線を示す図である。
【図７】実施の形態１に係るＬＥＤユニット１００の光制御方式の詳細を示す図である。
【図８】実施の形態２を示す照明器具１０００の斜視図である。
【図９】図８の照明器具１０００を分解した分解斜視図である。
【図１０】図８の照明器具１０００の三面図である。
【図１１】図８の照明器具１０００の断面図である。
【図１２】図８の照明器具１０００から出た光の概略イメージを示した図である。
【図１３】実施の形態２を示す照明器具１０００ｂの斜視図である。
【図１４】図１３の照明器具１０００ｂを分解した分解斜視図である。
【図１５】図１３の照明器具１０００ｂの三面図である。
【図１６】図１３の照明器具１０００ｂの断面図である。
【図１７】図１３の照明器具１０００ｂから出た光の概略イメージを示した図である。
【発明を実施するための形態】
【０００９】
実施の形態１．
図１は、本実施の形態に係るＬＥＤユニット１００の分解斜視図である。図２は、本実施の形態に係るＬＥＤユニット１００の斜視図である。図３は、本実施の形態に係るＬＥＤユニット１００を示す図であり、（ａ）は平面図、（ｂ）は側面図である。図４は、本実施の形態に係るＬＥＤユニット１００を示す図であり、図３（ａ）に示すＡ−Ａ断面の一部拡大図である。図１〜図４を用いて、実施の形態に係るＬＥＤユニット１００の全体構成について説明する。
【００１０】
図１及び図２に示すように、ＬＥＤユニット１００は、放熱板１１０と、基板２００と、主反射部３００と、補助反射部４００と、透光カバー５００とを備える。
【００１１】
基板２００は、長方形状であり、４枚の基板２００が長手方向に直列に並べられて放熱板１１０に取り付けられる。１枚の基板２００には、長手方向に１２個のＬＥＤ２１０が並べて装着されている。また、１枚の基板２００には、２個のコネクタ２３０が装着されている。コネクタ２３０は、長手方向の両端部近傍にそれぞれ配置される（図１、図３（ａ）参照）。
【００１２】
本実施の形態に係るＬＥＤユニット１００は、上述したように、直列に連結された４つの基板２００を備える。すなわち、ＬＥＤユニット１００には、１２個×４＝４８個のＬＥＤ２１０が直線状に並べて配置される（図３（ａ）参照）。図３（ａ）に示すように、４８個のＬＥＤ２１０が直線状に並んで配置されているＬＥＤ２１０の列をＬＥＤ列２１１とする。
【００１３】
図１及び図４に示すように、基板２００において、ＬＥＤ２１０が実装されている面を基板発光面２４０とし、基板発光面２４０の反対側の面を基板非発光面２５０とする。
【００１４】
図１及び図３（ａ）に示すように、１２個のＬＥＤ２１０は、基板２００の長手方向に延びる直線上に並べて実装されている。また、２個のコネクタ２３０は、基板２００の長手方向の両端側かつ短手方向の一端側に１つずつ実装され、１２個のＬＥＤ２１０が並べて配置されている直線上（ＬＥＤ列２１１）からはずれた位置に配置されている。
【００１５】
図１及び図４に示すように、放熱板１１０は、断面コ字状をなす略長方形の板であり、コ字状の凹部の底部分に基板２００を取り付ける基板取付面１１１を備える。また、放熱板１１０は、コ字状の両側の短手方向端部から外側に延設された本体取付部１１２を備える。本体取付部１１２には、ＬＥＤユニットを照明器具等の本体に取り付ける際に、ネジ等を通すために用いる取付孔１１３を備える。放熱板１１０は、ＬＥＤ２１０から発せられる熱を放熱するためにアルミ等の熱伝導率の高い材料で形成されている。
【００１６】
図４に示すように、放熱板１１０は、基板２００が主反射部３００により基板取付面１１１へ押し付けられ、基板２００と基板取付面１１１とが密着するように取り付けられているので、ＬＥＤ２１０の熱を効率良く逃がすことができる構造となっている。
【００１７】
主反射部３００は、基板２００の基板発光面２４０側に取り付けられ、ＬＥＤ２１０から発せられる光（照射光）を反射して、ＬＥＤ２１０からの照射光の照射方向を調節する。図１に示すように、４つの主反射部３００が、４つの基板２００の各基板２００に対応してそれぞれ取り付けられる。つまり、４つの主反射部３００は、基板２００と同様に、直列に連結するように放熱板１１０に取り付けられる。
【００１８】
図１及び図４に示すように、主反射部３００は、略直方体形状をなしている。また、主反射部３００は、断面がＭ字状に形成されており、短手方向のほぼ中央部に形成される凹部（溝部３５０）を備える。
【００１９】
主反射部３００は、溝部３５０の底面部３３０にＬＥＤ２１０を挿入させる１２個のＬＥＤ挿入孔３２０を備える。短手方向の両端に形成される凸部３６０に透光カバー５００を取り付けるカバー取付部３３１を備える。
【００２０】
図１に示すように、放熱板１１０の基板取付面１１１は、長手方向に長い長方形状である。また、図３（ａ）に示すように、基板２００は、直線状に並べられたＬＥＤ２１０（ＬＥＤ列２１１）が基板取付面１１１の短手方向の略中心に配置されるように、基板取付面１１１に取り付けられる。図１に示すように、ＬＥＤ２１０は、基板２００の短手方向の中心に直線状に並んでいるわけではなく、基板２００の短手方向の中心からやや短手方向一端側にずれた位置に並んで配置される。これは、コネクタ２３０が短手方向他端側に配置されているからである。
【００２１】
図４に示すように、主反射部３００は、底面部３３０と底面部３３０に対向する開口部３４０を有する溝部３５０を備える。また、溝部３５０は、内側面である主反射面３１０を備える。主反射部３００は、底面部３３０の短手方向の略中心（略中心線上）に、ＬＥＤ２１０を挿入させるＬＥＤ挿入孔３２０（図１参照）を備える。底面部３３０は発光面の一例である。
【００２２】
ＬＥＤ挿入孔３２０は、基板２００に装着されているＬＥＤ２１０を挿入させるための孔である。基板２００は、主反射部３００の底面部３３０の裏面と基板発光面２４０とが当接するとともに基板非発光面２５０と基板取付面１１１とが当接するように、主反射部３００の底面部３３０の裏面と基板取付面１１１とにより挟まれて取り付けられる。
【００２３】
つまり、主反射部３００の底面部３３０において、放熱板１１０に基板２００と主反射部３００とが取り付けられた場合に、基板２００の１２個のＬＥＤ２１０に対応する位置に、１２個のＬＥＤ挿入孔３２０が形成されている。主反射部３００は、ＬＥＤ２１０から照射される光の一部を、溝部３５０の内側面である主反射面３１０で反射して開口部３４０から出射させる。
【００２４】
図４に示すように、主反射部３００は、溝部３５０の開口部３４０が照射方向を向くように放熱板１１０のコ字状の凹部に嵌め込まれ、取付ネジ１２０により放熱板１１０に固定される。このとき、主反射部３００は、溝部３５０の底面部３３０の裏面と基板取付面１１１との間に基板２００を挟むようにして放熱板１１０に固定される。基板２００の基板発光面２４０を照射方向側に向けるとともに基板非発光面２５０を基板取付面１１１に当接させながら、主反射部３００を放熱板１１０に固定することにより、基板２００が放熱板に密着するように固定される。
【００２５】
取付ネジ１２０を締め付けて放熱板１１０に主反射部３００を固定することにより、基板非発光面２５０が放熱板１１０に押し付けられるので、放熱効率を高めることができる。
【００２６】
主反射部３００には、開口部３４０を覆うように透光カバー５００が取り付けられる。透光カバー５００は、透光率の高いアクリル製の板材であり、ほぼ長方形をなしている。主反射部３００の照射方向側の面の短手方向の両端側部には、透光カバー５００の両側部を収納する溝であるカバー取付部３３１が形成されている。透光カバー５００の両側部をカバー取付部３３１に挿入しスライドさせることにより、透光カバー５００を主反射部３００に取り付ける。
【００２７】
図１及び図４に示すように、補助反射部４００は、三角柱形状をなしている。補助反射部４００の三角柱形状の３つの側面のうち、取り付け時に透光カバー５００に当接させる側面を取付側面４４０とする。また、取付側面４４０以外の２つの側面を補助反射面４１０ａ，４１０ｂとする。
【００２８】
補助反射部４００は、三角柱形状をなしており、三角柱形状の一側面（取付側面４４０）を透光カバー５００に面接触させながら、透光カバー５００に取り付けられる。補助反射部４００の長手方向の長さは、透光カバー５００の長手方向の長さと略等しい。補助反射部４００の長手方向の長さは、基板２００を４つ直列に連結した場合の長手方向の長さと略等しく、主反射部３００を４つ直列に連結した場合の長手方向の長さとも略等しい。
【００２９】
透光カバー５００は、補助反射部４００を取り付ける取付穴５３０を短手方向のほぼ中央線上に、例えば５つ、備える（図１参照）。また、補助反射部４００の取付側面４４０の取付穴５３０に対応する箇所には、取付ネジ５１０と係合するネジ係合穴４５０を備える。
【００３０】
補助反射部４００は、透光カバー５００の内側（ＬＥＤ２１０側）の面の短手方向のほぼ中央線上に取付側面４４０を当接させるように配置される。そして、補助反射部４００は、透光カバー５００の取付穴５３０を貫通した取付ネジ５１０が取付側面４４０のネジ係合穴４５０と係合することにより、透光カバー５００に取り付けられる。
【００３１】
図４に示すように、透光カバー５００が、主反射部３００のカバー取付部３３１に取り付けられたとき、溝部３５０の底面部３３０に直線状に並べて配置されたＬＥＤ２１０（ＬＥＤ列２１１）の直下（光軸方向、照射方向）に補助反射部４００が配置される。
【００３２】
補助反射部４００の３つの側辺部のうち、透光カバー５００に当接している取付側面４４０に対向する位置の側辺部を対向側辺部４２０とする。また、上述したように、対向側辺部４２０の両側の側面を補助反射面４１０（４１０ａ，４１０ｂ）とする。
【００３３】
補助反射部４００が透光カバー５００に取り付けられるとともに透光カバー５００が主反射部３００に取り付けられると、補助反射部４００の対向側辺部４２０は、直線状に並べて配置されるＬＥＤ２１０（ＬＥＤ列）に対向するように配置される。言い換えると、補助反射部４００の対向側辺部４２０は、直線状に並べて配置されるＬＥＤ２１０に対向するように配置される。
【００３４】
また、対向側辺部４２０の両側の側面である補助反射面４１０（４１０ａ，４１０ｂ）は、光軸から所定の角度を有する斜面となる。補助反射面４１０（４１０ａ，４１０ｂ）は、対向側辺部４２０から透光カバー５００の内側面に向かって徐々に広がるように配置される。
【００３５】
補助反射部４００は、ＬＥＤ２１０から発せられる光のうち、光軸方向から所定の範囲内の光を直接反射して、光軸方向から所定の範囲内の光の照射方向を調節する。
【００３６】
主反射部３００及び補助反射部４００は、光を反射して、光の照射方向を制御するための部材であるので、アルミ蒸着などでコーティングした鏡面が好ましい。特に、主反射部３００の主反射面３１０、補助反射部４００の対向側辺部４２０の両側に形成される補助反射面４１０（４１０ａ，４１０ｂ）は、アルミ蒸着などでコーティングした鏡面が好ましい。
【００３７】
本実施の形態では、補助反射部４００と透光カバー５００とは別部品として構成したが、これらを一体形成された１部品として構成しても構わない。
【００３８】
図５は、本実施の形態に係るＬＥＤユニット１００の光制御方式を示す図である。図６は、本実施の形態に係るＬＥＤユニット１００の配光曲線を示す図である。図７は、本実施の形態に係るＬＥＤユニット１００の光制御方式の詳細を示す図である。図５〜図７を用いて、本実施の形態に係るＬＥＤユニット１００の光の制御方法について説明する。
【００３９】
図２及び図５に示すように、透光カバー５００全体の領域のうち、補助反射部４００の取付側面４４０と当接している領域は、ＬＥＤ２１０から照射される照射光を遮光する遮光領域５５０である。また、遮光領域５５０の両側の領域が、ＬＥＤ２１０から照射される照射光を透過させる透光領域５６０（５６０ａ，５６０ｂ）となる。図２に示すように、透光カバー５００の短手方向の中心線近傍の領域が遮光領域５５０であり、その両側が透光領域５６０（５６０ａ，５６０ｂ）となる。
【００４０】
図５に示すように、補助反射部４００は、ＬＥＤ２１０から両側の補助反射面４１０のうちの一方側の補助反射面４１０ａに直接到達する光であって一方側の補助反射面４１０ａにより反射した光が、主反射部３００の両側の主反射面３１０のうちの一方側の主反射面３１０ａに到達しないように形成される。さらに、補助反射部４００は、ＬＥＤ２１０から他方側の補助反射面４１０ｂに直接到達して反射した光が、主反射部３００の他方側の主反射面３１０ｂに到達しないように形成される。
【００４１】
また、主反射部３００は、ＬＥＤ２１０から両側の主反射面３１０のうちの一方側の主反射面３１０ａに直接到達する光であって一方側の主反射面３１０ａにより反射した光が、補助反射部４００の両側の補助反射面４１０のうちの一方側の補助反射面４１０ａに到達しないように形成される。さらに、主反射部３００は、ＬＥＤ２１０から他方側の主反射面３１０ｂに直接到達して反射した光が、補助反射面４１０ｂに到達しないように形成される。
【００４２】
つまり、主反射部３００及び補助反射部４００は、ＬＥＤ２１０から補助反射面４１０ａ，４１０ｂに直接到達する照射光がすべて透光領域５６０（５６０ａ，５６０ｂ）を通過するとともに、ＬＥＤ２１０から主反射面３１０ａ，３１０ｂに直接到達する照射光がすべて透光領域５６０（５６０ａ，５６０ｂ）を通過するように形成される。
【００４３】
以上のように、主反射部３００及び補助反射部４００を形成することにより、ＬＥＤ２１０から主反射面３１０ｂに直接到達した全ての照射光は、主反射面３１０ｂによりＰａ方向に反射し、透光領域５６０ｂを通過してＰａ方向を照射する。また、ＬＥＤ２１０から補助反射面４１０ａに直接到達した全ての照射光は、補助反射面４１０ａによりＰａ方向に反射し、透光領域５６０ａを通過してＰａ方向を照射する。
【００４４】
つまり、ＬＥＤ２１０から照射された照射光のうち、主反射面３１０ｂに直接到達した照射光と補助反射面４１０ａに直接到達した照射光との全ては、Ｐａ方向を照射し、ＬＥＤ２１０から照射された照射光のうち、主反射面３１０ａに直接到達した照射光と補助反射面４１０ｂに直接到達した照射光との全ては、Ｐｂ方向を照射する。
【００４５】
図６に示すように、本実施の形態に係るＬＥＤユニット１００の配光曲線は、Ｐａ方向及びＰｂ方向を照射する光の光度が大きくなっている。
【００４６】
このように、ＬＥＤ２１０の直下に補助反射部４００が配置されるようにＬＥＤユニット１００を構成したので、直線状に並んだＬＥＤ２１０（ＬＥＤ列２１１）の直下方向（光軸方向）の光を略三角状の同断面で構成した補助反射部４００の対向側辺部４２０（中心軸）の両側の方向（水平方向、Ｐａ・Ｐｂ方向）に制御して２方向に光を飛ばすことができる。
【００４７】
また、補助反射部４００及び主反射部３００のおのおのの反射板（補助反射面４１０及び主反射面３１０）で制御した光は、おのおのの反射板（補助反射面４１０及び主反射面３１０）に再び反射されることがなく、アクリルなどの透過率が高い材料で形成された透光カバー５００から効率良く光を取り出すことができる。
【００４８】
次に、図７を用いて、ＬＥＤ２１０から補助反射面４１０ａ，４１０ｂに直接到達した光が主反射面３１０ｂ，３１０ａに再び到達しないようにする光制御方式について説明する。
【００４９】
図７に示すように、ＬＥＤ２１０から照射されて補助反射面４１０ａの上端部Ｓ１（ＬＥＤ２１０側の端部）に反射するのは、Ｌ１１ラインである。Ｌ１１ラインは、基準軸からの角度をθとすると、θ＝１１度の照射光である。Ｌ１１ライン上の照射光は、補助反射面４１０ａの上端部Ｓ１に反射してＬ１２ライン上の照射光となる。
【００５０】
Ｌ１２ライン上の照射光は、補助反射面４１０ａに反射する光のなかでもっとも基準軸からの角度θが大きくなる（θ＝６４度）。したがって、このＬ１２ライン上の光が主反射面３１０ａに到達しないように設計すれば、ＬＥＤ２１０から照射されて補助反射面４１０ａに直接反射した照射光が再び主反射面３１０ａに反射することはない。
【００５１】
図７に示すように、ＬＥＤ２１０から照射されて補助反射面４１０ａの下端部Ｓ２（照射方向側の端部）に反射するのは、Ｌ２１ライン上の照射光であり、基準軸からの角度θは３１度である。Ｌ２１ライン上の照射光は、補助反射面４１０ａの下端部Ｓ２に反射してＬ２２ライン上の照射光となる。
【００５２】
したがって、ＬＥＤ２１０から照射された光のうちＲ２範囲（１１度＜θ＜３１度）の照射光は、補助反射面４１０ａに反射してＲ３範囲（４４度＜θ＜６４度）の照射光となる。すなわち、ＬＥＤ２１０から照射される照射光のうち、Ｌ１１ラインからＬ２１ラインの間の照射光は、全て補助反射面４１０ａに反射してＲ３範囲の照射光となり、透光領域５６０ａを透過し、Ｐａ側を照射する照射光となる。
【００５３】
図７に示すように、本実施の形態では、Ｌ１１ライン上の光であるθ＝１１度の照射光が補助反射面４１０ａの上端部Ｓ１に反射するものとした。これは、図７に示すように、補助反射部４００の対向側辺部４２０が面となっているためである。ＬＥＤ２１０からの照射光が補助反射面４１０ａの上端部Ｓ１に反射する場合のθの値は、補助反射部４００の形状により自在に変更可能である。
【００５４】
また、Ｌ２２ライン上の照射光は、θ＝４４度となっているが、このθの値も、補助反射部４００の形状により自在に変更可能である。
【００５５】
次に、図７に示すように、ＬＥＤ２１０からＰｂ側に照射される照射光のうち、もっとも水平方向に近い照射光をＬ３１ラインとする。Ｌ３１ラインは、主反射板３１０ｂのＳ４において主反射面３１０ｂに反射し、Ｌ３２ライン上の照射光となる。
【００５６】
このＬ３２ライン上の照射光が、ＬＥＤ２１０からＰｂ側に照射され直接に主反射面３１０ｂに反射する照射光のうちで、透光カバー５００のもっともＰａ側（すなわち、Ｓ６）を透過する照射光である。
【００５７】
また、ＬＥＤ２１０からＰｂ側に照射され直接に主反射面３１０ｂに反射する照射光のうちで、透光カバー５００のもっともＰｂ側（すなわち、Ｓ５）を透過する照射光は、Ｌ４１ライン上の照射光である。Ｌ４１ライン上の照射光は、Ｓ５において主反射面３１０ｂに反射してＬ４２ライン状の照射光となる。Ｌ４２ライン上の照射光は、Ｐａ側を照射する。
【００５８】
したがって、Ｌ３２ライン上の照射光が補助反射面４１０ｂに到達しないように設計すれば、ＬＥＤ２１０から照射されて主反射面３１０ａに直接反射した照射光が再び補助反射面４１０ｂに反射することはない。ＬＥＤ２１０からＰａ側に照射される照射光についても同様である。
【００５９】
以上のように、ＬＥＤ２１０、補助反射部４００、主反射部３００を設計することにより、簡単な構造により、ツービームの配光を得ることができる。
【００６０】
本実施の形態に係るＬＥＤユニット１００によれば、一列のＬＥＤ（ＬＥＤ列２１１）で異なる方向（ツインビーム）に光を出すことが可能なため、部品数が少なくてすみ、低コストでＬＥＤユニットを製造することができる。また、光源の光が直接人の目等に入らないため、まぶしさ（グレア）を感じることなく間接光を効果的に演出することができる。
【００６１】
実施の形態２．
本実施の形態では、実施の形態１で説明したＬＥＤユニット１００（１００ａ）を搭載した照明器具１０００について説明する。
【００６２】
図８は、本実施の形態を示す照明器具１０００の斜視図である。図９は、図８の照明器具１０００を分解した分解斜視図である。図１０は、図８の照明器具１０００の三面図である。図１１は、図８の照明器具１０００の断面図である。図１２は、図８の照明器具１０００から出た光の概略イメージを表した図である。
【００６３】
本実施の形態に係る照明器具１０００は、天井面７１４（図１２参照）などに取り付けられる本体８１０を備える。また、照明器具１０００は、本体８１０に取り付けられる電源ユニット９００と、端子台９７０と、ＬＥＤユニット１００ａとを備える。
【００６４】
図９、図１１に示すように、本体８１０は、長方形状の本体底面８２０と、この本体底面８２０の短手方向から折り曲げられて形成される本体側面８３０とを有し、断面コ字状に形成されている。したがって、本体底面８２０に対向する面は、本体開口８４０となっている。
【００６５】
電源ユニット９００および端子台９７０は、本体８１０の本体底面８２０に取り付けられ、本体８１０の外部から引き込まれた電線が端子台９７０に接続され、この電線から供給される商用電源を電源ユニット９００が直流電力に変換して、ＬＥＤユニット１００ａに供給する。
【００６６】
本実施の形態に係るＬＥＤユニット１００ａと、実施の形態１に係るＬＥＤユニット１００との異なる点は、放熱板の形状であり、他の構成は同一である。ＬＥＤユニット１００ａにおいて、実施の形態１に係るＬＥＤユニット１００と同一の構成については一の符号を付し、その説明を省略する。
【００６７】
図９，図１１に示すように、ＬＥＤユニット１００ａの放熱板１１０ａは、短手方向の両側部が折り曲げられて放熱板側面１４０ａを形成しており、端面がコ字状に形成される。したがって、コ字形状の底面に対向する面は、放熱板開口１５０ａとなっている。また、放熱板側面１４０ａの端部は、内側に折れ曲がり、放熱板端面１５１ａを形成する。
【００６８】
コ字形状の底面の外側の面は、基板２００を取り付ける基板取付面１１１ａとなる。基板取付面１１１ａに基板２００を取り付ける取付方式は、実施の形態１において説明した方式と同様である。
【００６９】
図９に示すように、本体８１０の短手方向の幅は、ＬＥＤユニット１００ａ（放熱板１１０ａ）の短手方向の幅よりも小さく形成される。そして、ＬＥＤユニット１００ａの放熱板開口１５０ａに、本体８１０の本体開口８４０側から挿入する。
【００７０】
図１１に示すように、本体８１０は、放熱板開口１５０ａから挿入された本体８１０の本体底面８２０と放熱板端面１５１ａとが、同一面上となる位置に配置される。本体８１０は、本体側面８３０と放熱板側面１４０ａとをツマミネジ９１０によって固定することにより、放熱板１１０ａに取り付けられる。
【００７１】
ツマミネジ９１０は、上述したように、照明器具１０００の側面に固定されるので、ＬＥＤ列２１１から照射される光が途切れることがない構造とすることができる。つまり、ＬＥＤユニット１００ａの長手方向の端から端まで光らせることが可能である。したがって、照明器具１０００を長手方向に連結しても光のとぎれがない。
【００７２】
つまり、本実施の形態に係るＬＥＤユニット１００ａの放熱板１１０ａは、照明器具１０００の外郭の一部を形成する。したがって、照明器具１０００は、基板２００を取付ける放熱板１１０ａが、照明器具１０００の外郭を兼ねる構造であるため、ＬＥＤ２１０の熱をより効率的に放熱することができ、ＬＥＤ２１０の熱による光低下を抑制している。
【００７３】
図１２では、照明器具１０００を天井面７１４に取り付けた場合の、配光状態を示している。図１２は、両側に壁面７１５を有するとともに床面７１６を有する、例えば、廊下や通路等を想定しているが、他にも居室、ロビー等、どのような場所でも設置可能である。
【００７４】
図１２に示すように、照明器具１０００は、照明器具１０００の短手方向の２つの壁面７１５を照らす間接照明用途等で使用される。例えば、通路の両側の壁面７１５に絵画等の鑑賞物が配置されている場合等の照明による演出効果を高めることができる。
【００７５】
図１２に示すように、照明器具１０００は、例えば、通路において天井面７１４の短手方向の略中央付近に取り付けて使用される。本実施の形態に係る照明器具１０００によれば、照明器具１０００の中心軸（ＬＥＤ列２１１）を境にして両壁面７１５を照らすことができる。また、通路中央に人が立った場合には、補助反射部４００によりＬＥＤ２１０（ＬＥＤ列２１１）の直下の光が遮光されるため、まぶしさを抑制することができる。
【００７６】
実施の形態３．
本実施の形態では、実施の形態１で説明したＬＥＤユニット１００を搭載した照明器具１０００ｂについて説明する。
【００７７】
図１３は、本実施の形態を示す照明器具１０００ｂの斜視図である。図１４は、図１３の照明器具１０００ｂを分解した分解斜視図である。図１５は、図１３の照明器具１０００ｂの三面図である。図１６は、図１３の照明器具１０００ｂの断面図である。図１７は、図１３の照明器具１０００ｂから出た光の概略イメージを表した図である。
【００７８】
本実施の形態に係る照明器具１０００ｂは、例えば、部屋等の天井面７１４（図１７参照）と壁面７１５との間の角部７１７などに取り付けられる本体８１０ｂを備える。また、照明器具１０００ｂは、本体８１０ｂに取り付けられる電源ユニット９００と、端子台９７０と、ＬＥＤユニット１００とを備える。
【００７９】
図１４及び図１６に示すように、本体８１０ｂは、長方形状の本体底面８２０ｂと、この本体底面８２０ｂの短手方向の一端から折り曲げられて形成される本体側面８３０ｂとを有し、断面がＬ字状に形成されている。本体８１０ｂは、さらに、本体側面８３０ｂ及び本体底面８２０ｂの短手方向の他端から折り曲げられて形成される本体端面８５０ｂ（取付面）を有している。
【００８０】
図１６に示すように、本体８１０ｂの断面は、本体頂辺部８６０ｂの角度が略直角であり、本体頂辺部８６０ｂの両側に形成される本体底面８２０ｂと本体側面８３０ｂとの長さが略等しい直角三角形状である。直角三角形状の底面部分（すなわち、本体頂辺部８６０ｂに対向する面）の短手方向両端部に本体端面８５０ｂが形成される。本体頂辺部８６０ｂに対向する底面は、開口する本体開口８４０ｂを備える。
【００８１】
電源ユニット９００および端子台９７０は、本体８１０ｂの本体底面８２０ｂに取り付けられ、本体８１０ｂの外部から引き込まれた電線が端子台９７０に接続され、この電線から供給される商用電源を電源ユニット９００が直流電力に変換して、ＬＥＤユニット１００に供給する。
【００８２】
本実施の形態に係るＬＥＤユニット１００と、実施の形態１に係るＬＥＤユニット１００とは同一の構成である。ＬＥＤユニット１００において、実施の形態１に係るＬＥＤユニット１００において説明した構成については同一の符号を付し、その説明を省略する。
【００８３】
ＬＥＤユニット１００の放熱板１１０の本体取付部１１２と本体８１０ｂの本体端面８５０ｂとを、ツマミネジ９１０により固定することにより、ＬＥＤユニット１００を本体８１０ｂに取り付ける。
【００８４】
図１６に示すように、ツマミネジ９１０は、照明器具１０００の発光面（ＬＥＤ列２１１）の短手方向の両側で固定されるので、ＬＥＤ列２１１から照射される光が途切れることがない構造とすることができる。つまり、ＬＥＤユニット１００の長手方向の端から端まで光らせることが可能である。したがって、照明器具１０００を長手方向に連結しても光のとぎれがない。
【００８５】
ＬＥＤユニット１００は、放熱板１１０の短手方向の両側（本体取付部１２１）がツマミネジ９１０によって、本体８１０ｂの本体端面８５０ｂ（取付面）に固定される。本実施の形態に係るＬＥＤユニット１００の放熱板１１０は、照明器具１０００ｂの外郭の一部を形成する。したがって、照明器具１０００ｂは、基板２００を取付ける放熱板１１０が、照明器具１０００ｂの外郭を兼ねる構造であるため、ＬＥＤ２１０の熱をより効率的に放熱することができ、ＬＥＤ２１０の熱による光低下を抑制している。
【００８６】
図１７では、照明器具１０００ｂを天井面７１４に取り付けた場合の、配光状態を示している。図１７は、壁面７１５と床面７１６とを有する、例えば、部屋を想定しているが、他にも廊下、通路、ロビー等、どのような場所でも設置可能である。
【００８７】
照明器具１０００ｂは、断面形状が三角形（略直角三角形状）であるため、壁面７１５と天井面７１４との角部７１７に取り付けることが可能である。そのとき、図１７に示すように、壁面７１５及び天井面７１４を照らす間接用途等で使用される。照明器具１０００ｂは、例えば、壁面７１５に絵画等の鑑賞物が配置されている場合等の照明による演出効果を高めることができる。
【００８８】
このように、部屋において天井面７１４と壁面７１５の角部７１７に照明器具１０００ｂを付けて使用するとき、補助反射部４００をＬＥＤ２１０（ＬＥＤ列２１１）の直下方向に配置しているので、天井面７１４と壁面７１５の面（２方向の面）を照らすことができる。また、照明器具１０００ｂを見た時には、補助反射部４００によりＬＥＤ２１０からの直接光が遮光されるため、まぶしさを抑制することができる。
【００８９】
以上、実施の形態１〜３について説明したが、これらのうち、２つの実施の形態を組み合わせて実施しても構わない。あるいは、これらのうち、１つの実施の形態を部分的に実施しても構わない。あるいは、これらのうち、２つの実施の形態を部分的に実施しても構わない。あるいは、これらのうち、３つの実施の形態を部分的に組み合わせて実施しても構わない。
【符号の説明】
【００９０】
１００，１００ａ  ＬＥＤユニット、１１０，１１０ａ  放熱板、１１１，１１１ａ  基板取付面、１１２  本体取付部、１１３  取付孔、１２０  取付ネジ、１２１  取付穴、１４０ａ  放熱板側面、１５０ａ  放熱板開口、１５１ａ  放熱板端面、１６０  照明器具端面、２００  基板、２１０  ＬＥＤ、２１１  ＬＥＤ列、２３０  コネクタ、２４０  基板発光面、２５０  基板非発光面、３００  主反射部、３１０  主反射面、３２０  ＬＥＤ挿入孔、３３０  底面部、３３１  カバー取付部、３５０  溝部、３６０  凸部、４００  補助反射部、４１０  補助反射面、４２０  対向側辺部、４４０  取付側面、４５０  ネジ係合穴、５００  透光カバー、５１０  取付ネジ、５３０  取付穴、５５０  遮光領域、５６０  透光領域、７１４  天井面、７１５  壁面、７１６  床面、７１７  角部、８１０，８１０ｂ  本体、８２０，８２０ｂ  本体底面、８３０，８３０ｂ  本体側面、８４０，８４０ｂ  本体開口、８５０ｂ  本体端面、８６０ｂ  本体頂辺部、９００  電源ユニット、９１０  ツマミネジ、９７０  端子台、１０００，１０００ｂ  照明器具。
【図１】
0005755024.tif 000002
【図２】
0005755024.tif 000003
【図３】
0005755024.tif 000004
【図４】
0005755024.tif 000005
【図５】
0005755024.tif 000006
【図６】
0005755024.tif 000007
【図７】
0005755024.tif 000008
【図８】
0005755024.tif 000009
【図９】
0005755024.tif 000010
【図１０】
0005755024.tif 000011
【図１１】
0005755024.tif 000012
【図１２】
0005755024.tif 000013
【図１３】
0005755024.tif 000014
【図１４】
0005755024.tif 000015
【図１５】
0005755024.tif 000016
【図１６】
0005755024.tif 000017
【図１７】
0005755024.tif 000018